(57)【特許請求の範囲】
【請求項１】
バルコニーと、
前記バルコニー上に設けられ、且つ、前記バルコニーの先端より前方に延設された軒先を有する屋根と、
前記バルコニーの間口方向の一端側の隅部と前記屋根とを支えた外部柱とを備え、
前記外部柱は、前記バルコニーのバルコニー床の下部と接合される下部柱と、前記バルコニー床の上部と接合される上部柱とからなり、
前記下部柱と前記上部柱は、バルコニーの奥行方向に間隔を有してそれぞれ複数設けられ外壁材で囲まれるとともに、
複数の上部柱は、上部柱側面の上側および下側に接合され下部に凸部を有するアングル材と、このアングル材に架け渡された断面形状が下方に開口されたコ字型の上部柱連結部材とで連結され、
複数の下部柱は、下部柱側面の上側および下側に接合され下部に凸部を有するアングル材と、このアングル材に架け渡された断面形状が下方に開口されたコ字型の下部柱連結部材とで連結され、
前記外壁材は、上下部柱連結部材のうち下側に位置する上下部柱連結部材に設けられた孔に上方から挿入されるフックを有しこのフックで上下部柱連結部材に取り付けられるアングル材の下部に設けられた凸部で下方から支えられており、
前記バルコニーの間口方向の他端側は前記間口方向と交差する方向に設けられた壁面に接している
ことを特徴とするインナーバルコニーを有する住宅。
【請求項２】
請求項１に記載のインナーバルコニーを有する住宅において、
前記壁面は、前記交差する方向において前記バルコニーから前記軒先の方向へ延設されている
ことを特徴とするインナーバルコニーを有する住宅。
【発明の詳細な説明】
【技術分野】
【０００１】
本発明は、インナーバルコニーを有する住宅に関し、特に、外部柱によりバルコニーと屋根とを支えた住宅に関する。
【背景技術】
【０００２】
従来より、バルコニーを片持ち状態で支持されるものに比してより大きなバルコニーにするために、ピロティユニットを建物本体に接合されるピロティ用フレームと、このピロティ用フレームから下方に延びた柱体とで構成されるピロティバルコニーを軒の下に設けることが提案されている（例えば、特許文献１参照）。
【０００３】
ところで、このようなオープンタイプのバルコニーは、その上方が比較的開放されていて充分な採光が確保できるようになされている。
【先行技術文献】
【特許文献】
【０００４】
【特許文献１】特開平１０−２５２１３９号公報
【発明の概要】
【発明が解決しようとする課題】
【０００５】
しかし、上記従来のオープンタイプのバルコニーを住宅に用いた場合、解放感が高くなりすぎることがある。例えば、日光が十分に当たるバルコニーのような場合、外からの視線が気になったり、特に夏場に暑くて過ごしにくい場合があったりする。そのため、解放感がある一方で、快適な屋外空間を実現することが望まれる。
【０００６】
本発明は、係る実情に鑑みてなされたものであって、解放感がある一方で、快適な屋外空間を実現するインナーバルコニーを有する住宅を提供することを目的としている。
【課題を解決するための手段】
【０００７】
上記課題を解決するために、請求項１に記載のインナーバルコニーを有する住宅１００に関する発明は、例えば、図１に示すように、
バルコニー１と、
前記バルコニー１上に設けられ、且つ、前記バルコニー１の先端より前方に延設された軒先３ａを有する屋根３と、
前記バルコニー１の間口方向の一端側の隅部１ａと前記屋根３とを支えた外部柱５とを備え、
前記外部柱５は、前記バルコニー１のバルコニー床７の下部と接合される下部柱５Ａと、前記バルコニー床７の上部と接合される上部柱５Ｂとからなり、
前記下部柱５Ａと前記上部柱５Ｂは、バルコニー１の奥行方向に間隔を有してそれぞれ複数設けられ外壁材１３で囲まれるとともに、
複数の上部柱５Ｂは、上部柱側面の上側および下側に接合され下部に凸部を有するアングル材２１と、このアングル材２１に架け渡された断面形状が下方に開口されたコ字型の上部柱連結部材１１Ａ，１１Ｂとで連結され、
複数の下部柱５Ａは、下部柱側面の上側および下側に接合され下部に凸部を有するアングル材２１と、このアングル材２１に架け渡された断面形状が下方に開口されたコ字型の下部柱連結部材９Ａ，９Ｂとで連結され、
前記外壁材１３は、上下部柱連結部材のうち下側に位置する上下部柱連結部材に設けられた孔９ａに上方から挿入されるフック２３ａを有しこのフック２３ａで上下部柱連結部材に取り付けられるアングル材２３の下部に設けられた凸部で下方から支えられており、
前記バルコニー１の間口方向の他端側は前記間口方向と交差する方向に設けられた壁面１５に接していることを特徴とする。
【０００８】
請求項１に記載の発明によれば、住宅１００の角に奥まったバルコニー空間を設け、バルコニー１の間口方向の一端側の隅部１ａに設けられた外部柱５により、前記バルコニー１の先端より前方に延設された軒先３ａを有する屋根３を支え、深い軒出を設けることができるため、解放感がある一方で、快適な屋外空間を実現することができる。
また、上下部柱連結部材で外部柱５をより強くすることができる。
さらに、上下部柱連結部材の取り付けは、上下部柱連結部材をアングル材２１に載せた状態で行え、外壁材１３はアングル材２３で支えられることにより所定の高さに位置決めされるので、作業が容易になる。
【００１９】
請求項２に記載の発明は、例えば、図７に示すように、
請求項１に記載のインナーバルコニーを有する住宅１００において、
前記壁面１５は、前記交差する方向において前記バルコニー１から前記軒先３ａの方向へ延設されていることを特徴とする。
【００２０】
請求項２に記載の発明によれば、前記壁面１５が前記バルコニー１から前記軒先３ａの方向へ延設されることにより、バルコニー１の他端側の壁面からの軒先３ａの出幅を広くすることができ、その結果として、他端側の軒先３ａから延設して設けられた隅部１ａ側の軒先３ａについて、バルコニー１からの軒先３ａへの距離を離すことができ、深い軒出を設けることができるため、解放感がある一方で、快適な屋外空間を実現することができる。
【発明の効果】
【００２１】
本発明によれば、外部柱によりバルコニーと屋根とを支え、深い軒出を設けることができるため、解放感がある一方で、快適な屋外空間を実現するインナーバルコニーを有する住宅を提供することができる。
さらに、上下部柱連結部材の取り付けは、上下部柱連結部材をアングル材に載せた状態で行え、外壁材はアングル材で支えられることにより所定の高さに位置決めされるので、作業が容易になる。
【図面の簡単な説明】
【００２２】
【図１】本実施の形態を示すものであり、インナーバルコニーを有する住宅を示す住宅の斜視図である。
【図２】インナーバルコニーを有する住宅の正面図である。
【図３】インナーバルコニーを有する住宅の側面図である。
【図４】インナーバルコニーを有する住宅の１階の間取り図である。
【図５】インナーバルコニーを有する住宅の２階の間取り図である。
【図６】インナーバルコニーを有する住宅の小屋裏の間取り図である。
【図７】インナーバルコニーの取り付け状態を示す住宅の側面図である。
【図８】本実施の形態に示すＡ部の拡大図である。
【図９】（ａ）は本実施の形態に示すＢ部の拡大図であり、（ｂ）は２階天井パネルの平面図である。
【図１０】本実施の形態に示すＣ部の拡大図である。
【図１１】（ａ）は図７のＩ-Ｉ線における断面図であり、（ｂ）は図１１（ａ）のＩＩ-ＩＩ線における断面図であり、（ｃ）は図１１（ａ）のＩＩＩ-ＩＩＩ線における断面図である。
【図１２】下部柱５Ａと、下部柱連結部材９Ａと、外壁材との接合部分の分解斜視図である。
【図１３】（ａ）は図７のＩＶ-ＩＶ線における断面図であり、（ｂ）は図１２（ａ）のＶ-Ｖ線における断面図であり、（ｃ）は図１２（ａ）のＶＩ-ＶＩ線における断面図である。
【図１４】下部柱５Ａと、下部柱連結部材９Ｂと、外壁材との接合部分の分解斜視図である。
【発明を実施するための形態】
【００２３】
以下、図面を参照して本発明の実施の形態について説明する。以下の実施の形態では、ユニット式住宅を例に説明する。しかし、本実施の形態を参照することにより、軸組構法の住宅においても本発明を実施可能である。
【００２４】
＜実施の形態＞
図１〜図３を参照して、本実施の形態における住宅１００について、説明する。
【００２５】
はじめに、図１〜図３に示す住宅１００は、複数の住宅ユニットを組み合わせて建てられる２階建てのユニット式住宅である。図１〜図３は、寄棟屋根からなる屋根を主に示している。これに限らず、陸屋根にも本実施の形態は適用可能である。
【００２６】
周知のように、ユニット式住宅は、箱状に形成された住宅ユニットを複数並べて組み合せることで施工される。住宅ユニットは、複数本の柱と、これらの柱の上端間どうしを結合する複数本の上梁と、前記柱の下端間どうしを結合する複数本の下梁とから略直方体状の骨組みが形成されるとともに骨組みに外壁材が必要に応じて取り付けられているものである（例えば、特開２００９−３５９９１号公報参照）。
【００２７】
そして、工場で製造された住宅ユニットはトラック等で建築現場まで輸送され、建築現場では、クレーン等を用いてこれら住宅ユニットが並べて組み合わされることでユニット式住宅が施工される。
【００２８】
（１）図１〜図３は本実施の形態を示すものであり、符号１はバルコニーを示し、符号３は前記バルコニー１上に設けられ、且つ、前記バルコニー１の先端より前方に延設された軒先３ａを有する屋根を示し、符号５は前記バルコニー１の間口方向の一端側の隅部１ａと前記屋根３とを支えた外部柱を示す。なお、外部柱５の下部は基礎１７に固定され（図１０参照）、外部柱５の上部は２階天井フレームに固定されている（図９（ｂ）参照）。
【００２９】
図１〜図３に示すように、前記バルコニー１の間口方向の一端側の隅部１ａに設けられた外部柱５により、前記バルコニー１の先端より前方に延設された軒先３ａを有する屋根３を支え、深い軒出を設けることができるため、解放感がある一方で、快適な屋外空間を実現することができる。なお、後述するように、本実施の形態における住宅１００のバルコニー１および外部柱５は、ユニットを使用しないで設けられる。そのため、ユニットを使用する場合に比べて、コストを低減した住宅を提供することができる。
【００３０】
次に、図４〜図６を参照して、住宅１００の各階の間取り図について、説明する。
図４は住宅の1階の間取り図を示す。図４において、符号２０は玄関を示し、符号３０は和室を示し、符号４０はリビングを示し、符号５０はダイニングンを示し、符号６０はキッチンを示し、符号７０は浴室スペースを示し、符号８０は洗面スペースを示し、符号９０はトイレスペースを示し、符号１１０はホールを示す。なお、1階には、和室３０とリビング４０とから出入り可能なピロティテラス１２０が設けられている。
【００３１】
図５は住宅の２階の間取り図を示す。図５において、符号１はバルコニーを示し、符号２１０は多目的スペースを示し、符号２２０は洋室を示し、符号２３０はトイレスペースを示し、符号２４０は寝室を示す。なお、２階のバルコニー１には、多目的スペース２１０と寝室２４０とから出入り可能である。
【００３２】
図６は住宅の小屋裏の間取り図を示す。図６において、符号３００は小屋裏収納を示す。そして、屋根３の下に設けられたバルコニー１から軒先３ａが離れて、深い軒出が設けられたことを示している。
【００３３】
次に、図７および図８を参照して、バルコニー１と外部柱５との接合について説明する。
（２）図７および図８において、符号５Ａは前記バルコニー１のバルコニー床７の下部と接合される下部柱を示し、符号５Ｂは前記バルコニー床７の上部と接合される上部柱を示し、符号１３は下部柱５Ａと上部柱５Ｂとを囲む外壁材を示す。そして、前記外部柱５は、下部柱５Ａと上部柱５Ｂとが前記バルコニー床７に接合され、下部柱５Ａと上部柱５Ｂが外壁材１３で囲まれて構成される。
【００３４】
ここで、図８に示すように、下部柱５Ａの上部は、柱材５ａと、柱材５ａの上端部に接合されたエンドプレート５ｂと、柱材５ａとエンドプレート５ｂとを補強するために柱材５ａとエンドプレート５ｂとに接合された補強部材５ｃとからなる。そして、下部柱５Ａの上部は、エンドプレート５ｂを介して、ボルト６ａとナット６ｂにより、バルコニー床７の下部とボルト接合される。同様に、上部柱５Ｂの下部は、柱材５ａと、エンドプレート５ｂと、補強部材５ｃとからなる。そして、上部柱５Ｂの下部は、エンドプレート５ｂを介して、ボルト６ａとナット６ｂにより、バルコニー床７の上部とボルト接合される。
【００３５】
図７および図８に示すように、バルコニー床７の上下にそれぞれ下部柱５Ａと上部柱５Ｂとを固定できるため、１階から２階天井まで伸びた１本柱の場合と比べて現場への柱の搬入が容易になり、下部柱５Ａで支えられたバルコニー床７上に固定された前記上部柱５Ｂで前記屋根３を支え、深い軒出を設けることができるため、解放感がある一方で、快適な屋外空間を実現することができる。
【００３６】
次に、図７および図９を参照して、外部柱５と２階天井フレームの接合について説明する。
図７および図９において、符号１９は２階天井フレームを示す。また、図９（ａ）に示すように、上部柱５Ｂの上部は柱材５ａと、柱材５ａに接合されたエンドプレート５ｂとからなる。次に、図９（ｂ）に示すように、２階天井フレーム１９は、長方形に枠組みされた枠体１９ａと、枠体１９ａの強度を補強する水平ブレード１９ｂ，１９ｃと、枠体１９ａに接合された補強部材１９ｄとから構成される。そして、上部柱５Ｂ上部のエンドプレート５ｂを介して、ボルト６ａとナット６ｂにより、上部柱５Ｂの上部と２階天井フレームの枠体１９ａの下部がボルト接合される。更に、２階天井フレーム１９は２階天井フレーム１９と隣接する他の住宅フレームの上梁とボルト結合（図示せず）される。その後、２階天井フレーム１９を用いてバルコニー１上に屋根３が設けられる。
【００３７】
次に、図７および図１０を参照して、外部柱５と基礎の接合について説明する。
図７および図９において、符号１７は住宅１００の基礎を示す。下部柱５Ａの下部は、柱材５ａと、柱材５ａの下端部に接合されたエンドプレート５ｂと、柱材５ａとエンドプレート５ｂとを補強するために柱材５ａとエンドプレート５ｂとに接合された補強部材５ｃとからなる。そして、下部柱５Ａの下部は、エンドプレート５ｂを介して、基礎１７に埋め込まれたアンカーボルト等のボルト６ａとナット６ｂにより、基礎１７にボルト接合される。
【００３８】
次に、図７，図１１、図１２を参照して、２本の下部柱５Ａの連結方法について説明する。
（３）はじめに、図７において、前記下部柱５Ａと前記上部柱５Ｂは、間隔を有してそれぞれ２本設けられている。なお、３本以上の下部柱５Ａおよび３本以上の上部柱５Ｂを設けてもよい。
【００３９】
図７に示すように、１階から２階天井まで伸びた１本の柱の場合と比べて、基礎１７とバルコニー床７とに固定された前記２本の下部柱５Ａとバルコニー床７上に固定された前記２本の上部柱５Ｂとで前記屋根３を支えることにより、縦方向において外部柱５をより強くすることができ、より深い軒出を設けることができるため、解放感がある一方で、快適な屋外空間を実現することができる。
【００４０】
（４）次に、図７において、符号９Ａ，９Ｂは前記２本の下部柱５Ａを連結する下部柱連結部材であり、符号１１Ａ，１１Ｂは前記２本の上部柱５Ｂを連結する上部柱連結部材である。これらの下部柱連結部材９Ａ，９Ｂおよび上部柱連結部材１１Ａ，１１Ｂは、断面形状が下方に開口されたコ字型に形成されている。なお、上部柱５Ｂに用いる上部柱連結部材１１Ａについては、下部柱連結部材９Ａと同じ部材であり、連結方法等も同じであるため、以下説明を省略する。また、上部柱５Ｂに用いる上部柱連結部材１１Ｂについても、下部柱連結部材９Ｂと同じ部材であり、連結方法等も同じであるため、以下説明を省略する。なお、３本以上の下部柱５Ａおよび３本以上の上部柱５Ｂの連結も同様の方法で可能であることはいうまでもない。
【００４１】
図７に示すように、２本の下部柱５Ａおよび２本の上部柱５Ｂのそれぞれにおいて柱間を連結することにより、縦方向および横方向において外部柱５をより強くすることができ、より深い軒出を設けることができるため、解放感がある一方で、快適な屋外空間を実現することができる。
【００４２】
（５）また、図７に示すように、前記２本の下部柱５Ａと前記２本の上部柱５Ｂが外壁材で囲まれ、前記外部柱５は前記間口方向と比べて前記バルコニー１の奥行方向に幅が広い。
【００４３】
これにより、２本の下部柱５Ａと前記２本の上部柱５Ｂが外壁材１３で囲まれても、前記外部柱５は前記間口方向と比べて前記バルコニー１の奥行方向に幅が広いことにより、深い軒出を設けることができることに加えて、前記外部柱５で間口方向の開口を狭めることなく開放できるため、解放感がある一方で、快適な屋外空間を実現することができる。
【００４４】
次に、下部柱５Ａ間の連結方法等について、具体的に説明する。図１１（ａ）は図７のＩ−Ｉ方向の断面図である。
【００４５】
図１１（ａ）および図１２において、符号２１は下部柱連結部材９Ａとボルト接合するための孔２１ａが設けられたアングル材２１であり、符号２３は下部柱連結部材９Ａに設けられた孔９ａに挿入されるフック２３ａと孔２３ｂとを設けたアングル材である。ここで、アングル材２１は、予め下部柱５Ａの下方で柱材５ａに接合される。そして、アングル材２１は、アングル材２１の孔２１ａが設けられた凸部が下部柱連結部材９Ａの下部で重なるような横幅を有する。そして、下部柱５Ａは、下部柱連結部材９Ａの孔９ｂとアングル材２１の孔２１ａとにボルト６ａが挿入され、下部柱連結部材９Ａとナット６ｂによりボルト結合される。なお、図１１（ａ）に示すように、左側の柱材５ａは２本の角柱が予め接合されて構成され、柱材５ａの外周に凹形状の外壁材１３ａが予め接合されている。そして、右側の柱材５ａは２本の角柱が予め接合されて構成され、柱材５ａに外壁材１３ｂを接合するための支持部材２５が柱材５ａに接合されている。そして、コ字状の支持部材２５の外周に凹形状の外壁材１３ｂが予め接合されている。外壁材１３ａと外壁材１３ｂの間には外壁材１３ｃ、１３ｄが設けられている。
【００４６】
図１１（ｂ）は図１１（ａ）のＩＩ−ＩＩ方向の断面図である。図１１（ｂ）に示すように、支持部材２５がエンドプレート５ｂの上部に設けられ、基礎１７に埋め込まれたボルト６ａとナット６ｂで下部柱５Ａが基礎１７にボルト接合されている。
【００４７】
図１１（ｃ）は図１１（ａ）のＩＩＩ−ＩＩＩ方向の断面図である。図１１（ｃ）に示すように、柱材５ａの右側の角柱に穴５ｄが設けられている。そして。ナット６ｂにより基礎１７に下部柱５Ａの下部をボルト接合することができる。また、図１２に示すように、外壁材１３ｃおよび１３ｄは、アングル材２３の下部の凸部により支えられる一方で、アングル材２３の上部がフック１３ｅの内側に挿入されることにより固定される。なお、外壁材１３ｃおよび１３ｄのいずれか一方に予めナット６ｂを埋め込んでおき、孔２３ｂにボルト６ａを挿入し外壁材とボルト接合するように構成してもよい。
【００４８】
図１３（ａ）および図１４において、符号２１は下部柱連結部材９Ｂとボルト接合するための孔２１ａが設けられたアングル材２１であり、符号２７，２８は下部柱連結部材９Ｂの上面に接合されたアングル材である。ここで、アングル材２１は、予め下部柱５Ａの上方で柱材５ａに接合される。そして、アングル材２１は、アングル材２１の孔２１ａが設けられた凸部が下部柱連結部材９Ｂの下部で重なるような横幅を有する。そして、下部柱５Ａは下部柱連結部材９Ｂの孔９ｂとアングル材２１の孔２１ａとにボルト６ａが挿入され、下部柱連結部材９Ｂとナット６ｂによりボルト結合される。なお、図１３（ａ）に示すように、左側の柱材５ａは２本の角柱が予め接合されて構成され、柱材５ａの外周に凹形状の外壁材１３ａが予め接合されている。そして、右側の柱材５ａは２本の角柱が予め接合されて構成され、柱材５ａに外壁材１３ｂを接合するための支持部材２５が柱材５ａに接合されている。そして、コ字状の支持部材２５の外周に凹形状の外壁材１３ｂが予め接合されている。外壁材１３ａと外壁材１３ｂの間には外壁材１３ｃ、１３ｄが設けられている。
【００４９】
図１３（ｂ）は図１３（ａ）のＶ−Ｖ方向の断面図である。図１３（ｂ）に示すように、図１３（ａ）の右側の下部柱５Ａの上方のアングル材２１の上に下部柱連結部材９Ｂがあり、ボルト接合されている。同様に、図１３（ａ）の左側の下部柱５Ａの上方のアングル材２１の上に下部柱連結部材９Ｂがあり、ボルト接合されている。
【００５０】
図１３（ｃ）は図１３（ａ）のＶＩ−ＶＩ方向の断面図である。図１１（ｃ）に示すように、下部柱連結部材９Ｂの幅方向の両端に孔２７ａを有するアングル材２７と、孔２８ａを有するアングル材２８とが設けられている。そして、外壁材１３ｃに予めボルト６ａを埋め込んでおき、孔２７ａを介して、ナット６ｂによりボルト接合することができる。また、外壁材１３ｄに予めボルト６ａを埋め込んでおき、孔２８ａを介して、ナット６ｂによりボルト接合することができる。なお、外壁材１３ｃおよび１３ｄのそれぞれに予めナット６ｂを埋め込んでおき、孔２７ａ，２８ａを介して、ボルト６ａによりボルト接合するように構成してもよい。
【００５１】
（６）また、前記バルコニー１の間口方向の他端側のバルコニー床７は隣接する住宅ユニットと接合されている。そして、図３に示すように、前記バルコニー１の間口方向の他端側は前記間口方向と交差する方向に設けられた隣接する住宅ユニットに設けられた壁面１５に接している。これの構成により、前記バルコニー１の間口方向の他端側が前記間口方向と交差する方向に設けられた壁面１５（図３参照）に接し、住宅１００の角に奥まったバルコニー空間を作り、深い軒出を設けることができる。そのため、解放感がある一方で、快適な屋外空間を実現することができる。
【００５２】
（７）また、前記壁面１５は、前記交差する方向において前記バルコニー１から前記軒先３ａの方向へ延設されていることを特徴とする。この構成により、前記壁面１５が前記バルコニー１から前記軒先３ａの方向へ延設されることにより、外部空間であるバルコニー１の他端側の壁面からの軒先３ａの出幅を広くすることができ、その結果として、他端側の軒先３ａから延設して設けられたバルコニー１からの軒先３ａへの距離を離すことができ、深い軒出を設けることができるため、解放感がある一方で、快適な屋外空間を実現することができる。
【００５３】
＜製造方法＞
次に、インナーバルコニーを有する住宅の製造方法について、説明する。なお、各居室等のためのユニット式建物の施工方法については、本出願人の出願（特開２００９−３５９９１号公報）等に開示されているように公知であるため、説明を省略する。
【００５４】
はじめに、各住宅ユニットと外部柱５を固定するための基礎１７を作成する。基礎１７には、各住宅ユニットと外部柱５を固定するためのアンカーボルト等が埋め込まれている（図１０参照）。
【００５５】
そして、クレーン等を用いて、１階の住宅ユニットを基礎１７上に配置して、各住宅ユニット間と、各住宅ユニット間と基礎１７とをボルト結合する。そして、次に２本の下部柱５Ａの下部を基礎１７にそれぞれ下部柱５Ａのエンドプレート５ｂを介してボルト結合する。次に、下部柱連結部材９Ａ，９Ｂのそれぞれを２本の下部柱５Ａの下方および上方に配置して、下部柱５Ａに接合されたアングル材２１を介して、２本の下部柱５Ａを互いにボルト結合する。その後、アングル材２３を下部柱連結部材９Ａに挿入する。その後、外壁材１３ｃをクレーンで吊り上げ、アングル材２３の下部の凸部により外壁材１３ｃを支える一方で外壁材１３ｃのフック１３ｅにアングル材２３の上部が挿入されるように、外壁材１３ｃを上から静かに下して、外壁材１３ｃの下部を固定する。次に、外壁材１３ｃの上部を下部柱連結部材９Ｂのアングル材２７とボルト結合する。外壁材１３ｄも同様の手順で下部柱連結部材９Ａ，９Ｂに固定する。
【００５６】
次に、バルコニー床７をクレーンで吊り上げ、バルコニー床７の下部を、２本の下部柱５Ａの上部のエンドプレート５ｂと１階住宅ユニットとの上梁にのせて、それぞれボルト結合する（図８参照）。
【００５７】
次に、クレーンを用いて、２階の住宅ユニットを１階住宅ユニット上に配置して住宅ユニット間をボルト結合する。その後、２本の上部柱５Ｂをバルコニー床７にそれぞれエンドプレート５ｂを介してボルト結合し、上部柱連結部材１１Ａ，１１Ｂを２本の上部柱５Ｂの上方および下方に配置して、上部柱５Ｂに接合されたアングル材２１を介して、２本の上部柱５Ｂを互いにボルト結合する。その後、アングル材２３を上部柱連結部材１１Ａに挿入する。その後、外壁材１３ｃをクレーンで吊り上げ、外壁材１３ｃのフック１３ｅにアングル材２３の上部が挿入されるように、外壁材１３ｃを上から静かに下して、外壁材１３ｃの下部を固定する。次に、外壁材１３ｃの上部を上部柱連結部材１１Ｂのアングル材２７とボルト結合する。外壁材１３ｄも同様の手順で上部柱連結部材１１Ａ，１１Ｂに固定する。
【００５８】
次に、バルコニー床７上に２階天井フレームをクレーンで吊り上げ、２階天井フレームの下部を、２本の上部柱５Ｂの上部のエンドプレート５ｂと２階住宅ユニットとの上梁とをボルト結合する（図９参照）。その後、屋根束などを用いて、屋根３を設ける。ユニット式住宅の屋根構造については、本出願人の出願（特開２００３−２７２７号公報）等に開示されているように公知であるため、説明を省略する。
【００５９】
以上説明したように、実施の形態によれば、外部柱５によりバルコニー１と屋根３とを支え、深い軒出を設けることができるため、解放感がある一方で、快適な屋外空間を実現するインナーバルコニーを有する住宅を提供することができる。
【符号の説明】
【００６０】
１     バルコニー
３     屋根
５     外部柱
５Ａ   下部柱
５Ｂ   上部柱
７     バルコニー床
９Ａ，９Ｂ    下部柱連結部材
１１Ａ，１１Ｂ       上部柱連結部材
１３   外壁材
１５   壁面
１７   基礎
１９   ２階天井フレーム
【図１】
0005694759.tif 000002
【図２】
0005694759.tif 000003
【図３】
0005694759.tif 000004
【図４】
0005694759.tif 000005
【図５】
0005694759.tif 000006
【図６】
0005694759.tif 000007
【図７】
0005694759.tif 000008
【図８】
0005694759.tif 000009
【図９】
0005694759.tif 000010
【図１０】
0005694759.tif 000011
【図１１】
0005694759.tif 000012
【図１２】
0005694759.tif 000013
【図１３】
0005694759.tif 000014
【図１４】
0005694759.tif 000015